(57)【要約】      （修正有）【課題】顧客の外国為替取引のリスクを抑えることができ、その際に顧客が判断しやすくできる外国為替証拠金取引システムを提供する。【解決手段】クライアント端末１からの証拠金に基づく外為取引の注文要求を受信した仲介業者サーバ２から外銀サーバ３に外為注文データを送信し、仲介業者サーバ２において当該外為取引により生じる差損益金の入出金データに応じて証拠金残高を調整処理し、前記仲介業者サーバ２は、所定の将来期限を指定した売買種別および取引数量が同一のオプション取引の新規注文データを生成し、前記将来期限の到達の際にオプション取引が利益状態であるときに外銀サーバ３に送信する権利行使注文データを生成し、前記将来期限までに決済注文要求を受信しないときに、外銀サーバ３に対して将来期限到達の際に外為決済注文データを送信させるとともに、外為取引による差損金を、オプション取引の権利行使による差益金により相殺処理させる。【選択図】図１
2014222389.tif 000002
【特許請求の範囲】
【請求項１】
クライアント端末からの証拠金に基づく外為取引の注文要求を受信した仲介業者サーバから外銀サーバに前記注文要求に応じた外為注文データを送信するとともに、当該外為取引により生じる差損益金の入出金データを受信した仲介業者サーバにおいて前記入出金データに応じて証拠金残高を調整処理してなり、
前記仲介業者サーバは、
クライアント端末からの外為取引の新規注文要求に含まれる売買種別、取引数量に応じた売買種別、取引数量を指定した外為新規注文データを生成するとともに、決済注文要求に応じて外為決済注文データを生成する外為注文データ生成手段と、
前記外銀サーバに対して外為新規注文データとともに送信する、所定の将来期限を指定した売買種別および取引数量が同一のオプション取引の新規注文データを生成するＯＰ注文データ生成手段と、
前記将来期限の到達の際にオプション取引が利益状態であるときに外銀サーバに送信する、権利行使注文データを生成する権利行使注文データ生成手段と、
前記将来期限までにクライアント端末から決済注文要求を受信しないときに、外銀サーバに対して将来期限到達の際に外為決済注文データを送信させるとともに、外為取引により生じた差損金を、オプション取引の権利行使に基づく差益金により相殺処理させるオプション取引監督手段とを有する外国為替証拠金取引システム。
【請求項２】
前記仲介業者サーバは、クライアント端末から外為取引の新規注文要求に伴って受信する、前記オプション取引と売買種別が反対で取引数量および将来期限が同一の第２のオプション取引の新規注文要求を格納する第２のＯＰ取引データ格納手段と、
前記第２のオプション取引の新規注文要求に応じて証拠金残高から所定の手数料を支払処理する残高管理手段とを有し、
前記ＯＰ注文データ生成手段による外為新規注文データの生成は、第２のＯＰ取引データ格納手段内に第２のオプション取引の新規注文要求が格納されていることを条件とする請求項１記載の外国為替証拠金取引システム。
【請求項３】
前記仲介業者サーバは、クライアント端末からの外為取引の新規注文要求のための問い合わせに応答して、前記第２のオプション取引を組み合わせた外為取引の受付用注文条件をクライアント端末に送信する注文用データ提供手段を有する請求項２記載の外国為替証拠金取引システム。
【請求項４】
前記クライアント端末は、外為取引の注文要求に際して外為レートに加え、第２のオプション取引の要否を指示するための指示部が外為取引による損失補償あるいは保全の要否を指示するためのものとして表示される表示部を有する請求項３記載の外国為替証拠金取引システム。
【請求項５】
前記仲介業者サーバは、外銀サーバから取得したオプション取引のプレミアムデータを格納するプレミアム格納手段と、
前記プレミアムデータを利用して第２のオプション取引のための手数料を算出する手数料算出手段とを有する請求項２ないし４のいずれかに記載の外国為替証拠金取引システム。
【請求項６】
クライアント端末からの証拠金に基づく外為取引の注文要求を受信した仲介業者サーバから外銀サーバに前記注文要求に応じた外為注文データを送信するとともに、当該外為取引により生じる差損益金の入出金データを受信して証拠金残高を前記入出金データに応じて調整処理する仲介業者サーバであって、
クライアント端末からの外為取引の新規注文要求に含まれる売買種別、取引数量に応じた売買種別、取引数量を指定した外為新規注文データを生成するとともに、決済注文要求に応じて外為決済注文データを生成する外為注文データ生成手段と、
クライアント端末から外為取引の新規注文要求に伴って受信する、所定の将来期限を指定した売買種別が反対で取引数量が同一の第２のオプション取引の新規注文要求を格納する第２のＯＰ取引データ格納手段と、
前記第２のオプション取引の新規注文要求に応じて証拠金残高から所定の手数料を支払処理する残高管理手段と、
前記外銀サーバに対して外為新規注文データとともに送信する、前記将来期限と同一の将来期限を指定した売買種別および取引数量が同一の第１のオプション取引の新規注文データを生成するＯＰ注文データ生成手段と、
前記将来期限の到達の際に第１のオプション取引が利益状態であるときに外銀サーバに送信する、権利行使注文データを生成する権利行使注文データ生成手段と、
前記将来期限までにクライアント端末から決済注文要求を受信しないときに、外銀サーバに対して将来期限到達の際に外為決済注文データを送信させるとともに、外為取引により生じた差損金を、第１のオプション取引の権利行使に基づく差益金により相殺処理させるオプション取引監督手段とを有する仲介業者サーバ。
【請求項７】
クライアント端末からの証拠金に基づく外為取引の注文要求に応答して外銀サーバに前記注文要求に応じた外為注文データを送信するとともに、当該外為取引により生じる差損益金の入出金データを受信して証拠金残高を前記入出金データに応じて調整処理することをコンピュータに実行させるためのプログラムであって、
前記コンピュータを、
クライアント端末からの外為取引の新規注文要求に含まれる売買種別、取引数量に応じた売買種別、取引数量を指定した外為新規注文を生成するとともに、決済注文要求に応じて外為決済注文データを生成する外為注文データ生成手段、
クライアント端末から外為取引の新規注文要求に伴って受信する、所定の将来期限を指定した売買種別が反対で取引数量が同一の第２のオプション取引の新規注文要求を格納する第２のＯＰ取引データ格納手段、
前記第２のオプション取引の新規注文要求に応じて証拠金残高から所定の手数料を支払処理する残高管理手段、
前記外銀サーバに対して外為新規注文データとともに送信する、前記将来期限と同一の将来期限を指定した売買種別および取引数量が同一の第１のオプション取引の新規注文データを生成するＯＰ注文データ生成手段、
前記将来期限の到達の際に第１のオプション取引が利益状態であるときに外銀サーバに送信する、権利行使注文データを生成する権利行使注文データ生成手段、および
前記将来期限までにクライアント端末から決済注文要求を受信しないときに、外銀サーバに対して将来期限到達の際に外為決済注文データを送信させるとともに、外為取引により生じた差損金を、第１のオプション取引の権利行使に基づく差益金により相殺処理させるオプション取引管理手段として機能させるためのプログラム。
【発明の詳細な説明】
【技術分野】
【０００１】
本発明は外国為替証拠金取引システムに関するものである。
【背景技術】
【０００２】
クライアント端末からの指示に応じて仲介業者サーバに外銀サーバとの通信をさせる外国為替証拠金取引システムとしては、従来、特許文献１に記載されたものが知られている。この従来例において、ＦＸ会社のＦＸサーバは、顧客端末から受信する注文発注情報に応じて外国為替市場における外国為替証拠金取引を遂行する。この外国為替証拠金取引は、外国為替レートの推移により大きな利益を得られる反面、大きな損失を受けるおそれもあるために、上記従来例においては、例えばレバレッジを管理、調整することでそのリスクを軽減するようにしている。
【０００３】
しかしながら、リスク軽減をレバレッジ、すなわち取引数量の増減を通じて行うようにすると、取引数量をどの程度にするかの程度の判断が必要になるために、判断が難しくなる。
【０００４】
一方、特許文献２には、外国為替証拠金取引にオプション取引を併用してリスクを軽減することが記載されている。
【先行技術文献】
【特許文献】
【０００５】
【特許文献１】特開２００９-２１７７９６号公報
【特許文献２】特開２００７-１８８３６８号公報
【発明の開示】
【発明が解決しようとする課題】
【０００６】
しかしながら、上記第２の従来例においても、オプション取引の多種類を顧客に提案し、選ばせるために、顧客に難しい判断が求められる。
【０００７】
また、そもそもオプション取引は、企業や資産家向けに取引ロットを例えば１００万ドルなどの大口にして成立しているのが一般的であり、上記第２の従来例において想定されるような小口のものでは取引が成立しにくいおそれがあるばかりか、外銀で取り扱い自体を断られてしまう心配もある。
【０００８】
本発明は以上の欠点を解消すべくなされたものであって、顧客の外国為替取引のリスクを抑えることができ、その際に顧客が判断しやすくできる外国為替証拠金取引システムの提供を目的とする。また、本発明の他の目的は、このような外国為替証拠金取引システムの構築に際して使用可能な仲介業者サーバ、およびプログラムの提供にある。
【課題を解決するための手段】
【０００９】
本発明によれば上記目的は、
クライアント端末１からの証拠金に基づく外為取引の注文要求を受信した仲介業者サーバ２から外銀サーバ３に前記注文要求に応じた外為注文データを送信するとともに、当該外為取引により生じる差損益金の入出金データを受信した仲介業者サーバ２において前記入出金データに応じて証拠金残高を調整処理してなり、
前記仲介業者サーバ２は、
クライアント端末１からの外為取引の新規注文要求に含まれる売買種別、取引数量に応じた売買種別、取引数量を指定した外為新規注文データを生成するとともに、決済注文要求に応じて外為決済注文データを生成する外為注文データ生成手段４と、
前記外銀サーバ３に対して外為新規注文データとともに送信する、所定の将来期限を指定した売買種別および取引数量が同一のオプション取引の新規注文データを生成するＯＰ注文データ生成手段５と、
前記将来期限の到達の際にオプション取引が利益状態であるときに外銀サーバ３に送信する、権利行使注文データを生成する権利行使注文データ生成手段６と、
前記将来期限までにクライアント端末１から決済注文要求を受信しないときに、外銀サーバ３に対して将来期限到達の際に外為決済注文データを送信させるとともに、外為取引により生じた差損金を、オプション取引の権利行使に基づく差益金により相殺処理させるオプション取引監督手段７とを有する外国為替証拠金取引システムを提供することにより達成される。
【００１０】
本発明によれば、仲介業者サーバ２は、クライアント端末１からの要求に応じた外為証拠金取引の注文を外銀サーバ３に送信するとともに、新規の注文要求、すなわち新規ポジションを取得する際には、注文要求内容と売買種別および取引数量が同一の新規のオプション取引を外銀サーバ３に注文する。外為証拠金取引は、この後に決済の注文、すなわちポジションを決済することにより、その間の外為レートの変動に応じた差損益金を生じることになるが、新規注文と同一の売買種別、取引数量であるオプション取引は、外為証拠金取引において差損金が生じている際には同額の差益金が発生している状態になることから、権利行使することで損失を相殺することができる。
【００１１】
なお、オプション取引の行使レートは、外為証拠金取引の新規注文時の外為レートと同一であることが損失を帳消しにするために望ましいが、仮に外銀に同時に注文しても外為証拠金取引とオプション取引のそれぞれの取引成立のタイムラグによって多少の誤差が生じる可能性があること、およびリスク軽減の実質的な効果を考慮すれば、少なくとも上記外為レートに相当する程度であれば足りる。
【００１２】
上述のようにオプション取引を外為証拠金取引の新規注文とほぼ同じ条件にすることにより、外為レートの変動による外為証拠金取引のリスクを抑えることができる上に、本来は外為証拠金取引と同様の金融商品であるオプション取引を単に保険のように機能させるだけであることから、顧客の判断も極めて簡単になる。また、仲介業者サーバ２は、仲介業者の顧客からの委任あるいは代理の契約に基づいてクライアント端末１の単なる指示通りに外銀サーバ３とやりとりするものとしては構成されないために、単なる中継サーバに比べて高い存在意義を発揮する。
【００１３】
さらに、仲介業者サーバ２と外銀サーバ３とは、オプション取引の新規注文データや、権利行使注文データを互いに送受信することによりオプション取引に係るやりとりを電子的に処理する。このため外銀にあまり人手がかかることはない。このような取引の電子的処理は、例えば仲介業者サーバ２と外銀サーバ３とを金融情報交換（ＦＩＸ：Ｆｉｎａｎｃｉａｌ  Ｉｎｆｏｒｍａｔｉｏｎ  ｅＸｃｈａｎｇｅ）プロトコルを利用したＦＩＸ接続をすることが望ましい。
【００１４】
加えて、オプション取引は、その行使レートに取引時、すなわちあまり遠くない時点での外為レートが採用されるために、取引が成立しやすくなる。例えば、仲介業者サーバ２にクライアント端末１の複数が接続されている場合には、実質的に相殺となるような反対売買のオプション取引が異なるクライアント端末１から指図されることもあまり珍しくないと考えられる。さらにまた、オプション取引の外銀に対する取引名義人が仲介業者になることにより、外銀は仲介業者とのみ取引をするに過ぎないために、単一の機関投資家との取引における振る舞いとあまり大差もなく、取り扱いに支障が生じにくい。加えてさらに、仲介業者が多数のクライアント端末１からのオプション取引を一手に扱うことにより、外銀とのオプション取引高も大きくなるために、外銀に仲介業者と取引をすることの魅力を十分に与えることができる。
【００１５】
したがって本発明によれば、顧客のレート変動による損失リスクを抑えることができ、また、顧客に損失リスクを抑えるための手立てを極めて簡単な仕組みで理解、判断させることができる。さらに、小口のオプション取引を外銀との間で実現することができ、加えて、このオプション取引に係る仲介業者側の手間をも軽減することができる。
【００１６】
また、仲介業者は、上記オプション取引と売買種別が反対で取引数量および将来期限が同一の第２のオプション取引を顧客との間において結べば、リスクヘッジに応じた費用を顧客に負担してもらうことができ、このようにすることで、上記オプション取引を第２のオプション取引に代替させて機能させ、オプション取引に係るプレミアムに第２のオプション取引に係るプレミアムを充当して外銀に対する支払い費用の帳尻を合わせることができる。なお、上記オプション取引および第２のオプション取引のために２重に生じてしまう仲介業者側の手間については、必要に応じて第２のオプション取引におけるプレミアム相当の費用に手間賃としての手数料を含めておくことにより、受益者である顧客に負担を求めても足りる。
【００１７】
さらに、以上において述べたオプション取引と外為証拠金取引との併用は、これら両取引を組み合わせた指図を顧客から仲介業者にしてもらうようにすれば、リスク低減を含む外為証拠金取引の適否の判断を顧客側で簡単にすることができる。このような指図は、外為証拠金取引の問い合わせを受けた際に受付用注文条件をクライアント端末１に送信しておき、この受付用注文条件を顧客に確認してもらった上で、仲介業者サーバ２に指図してもらうようにすれば、顧客の判断の手間を省くことができる。
【００１８】
この場合において、第２のオプション取引を顧客から指示するための指示部１１について、外為取引による損失補償あるいは保全の要否を指示するためのものとしてクライアント端末１の表示部１２に表示させれば、敢えて複雑な取引であるオプション取引の仕組みを顧客が十分に理解しなくとも、簡単に状況把握、判断ができるようになる。
【００１９】
以上の外国為替証拠金取引システムは、
クライアント端末１からの証拠金に基づく外為取引の注文要求を受信した仲介業者サーバ２から外銀サーバ３に前記注文要求に応じた外為注文データを送信するとともに、当該外為取引により生じる差損益金の入出金データを受信して証拠金残高を前記入出金データに応じて調整処理する仲介業者サーバ２であって、
クライアント端末１からの外為取引の新規注文要求に含まれる売買種別、取引数量に応じた売買種別、取引数量を指定した外為新規注文データを生成するとともに、決済注文要求に応じて外為決済注文データを生成する外為注文データ生成手段４と、
クライアント端末１から外為取引の新規注文要求に伴って受信する、所定の将来期限を指定した売買種別が反対で取引数量が同一の第２のオプション取引の新規注文要求を格納する第２のＯＰ取引データ格納手段８と、
前記第２のオプション取引の新規注文要求に応じて証拠金残高から所定の手数料を支払処理する残高管理手段９と、
前記外銀サーバ３に対して外為新規注文データとともに送信する、前記将来期限と同一の将来期限を指定した売買種別および取引数量が同一の第１のオプション取引の新規注文データを生成するＯＰ注文データ生成手段５と、
前記将来期限の到達の際に第１のオプション取引が利益状態であるときに外銀サーバ３に送信する、権利行使注文データを生成する権利行使注文データ生成手段６と、
前記将来期限までにクライアント端末１から決済注文要求を受信しないときに、外銀サーバ３に対して将来期限到達の際に外為決済注文データを送信させるとともに、外為取引により生じた差損金を、第１のオプション取引の権利行使に基づく差益金により相殺処理させるオプション取引監督手段７とを有する仲介業者サーバ２を使用して構成する事ができる。
【００２０】
また、この仲介業者サーバ２は、
クライアント端末１からの証拠金に基づく外為取引の注文要求に応答して外銀サーバ３に前記注文要求に応じた外為注文データを送信するとともに、当該外為取引により生じる差損益金の入出金データを受信して証拠金残高を前記入出金データに応じて調整処理することをコンピュータに実行させるためのプログラムであって、
前記コンピュータを、
クライアント端末１からの外為取引の新規注文要求に含まれる売買種別、取引数量に応じた売買種別、取引数量を指定した外為新規注文を生成するとともに、決済注文要求に応じて外為決済注文データを生成する外為注文データ生成手段４、
クライアント端末１から外為取引の新規注文要求に伴って受信する、所定の将来期限を指定した売買種別が反対で取引数量が同一の第２のオプション取引の新規注文要求を格納する第２のＯＰ取引データ格納手段８、
前記第２のオプション取引の新規注文要求に応じて証拠金残高から所定の手数料を支払処理する残高管理手段９、
前記外銀サーバ３に対して外為新規注文データとともに送信する、前記将来期限と同一の将来期限を指定した売買種別および取引数量が同一の第１のオプション取引の新規注文データを生成するＯＰ注文データ生成手段５、
前記将来期限の到達の際に第１のオプション取引が利益状態であるときに外銀サーバ３に送信する、権利行使注文データを生成する権利行使注文データ生成手段６、および
前記将来期限までにクライアント端末１から決済注文要求を受信しないときに、外銀サーバ３に対して将来期限到達の際に外為決済注文データを送信させるとともに、外為取引により生じた差損金を、第１のオプション取引の権利行使に基づく差益金により相殺処理させるオプション取引管理手段として機能させるためのプログラムを使用して構成することができる。
【発明の効果】
【００２１】
以上の説明から明らかなように、本発明によれば、顧客の外為証拠金取引のリスクを抑えることができ、その際に顧客が判断しやすくできるために、使い勝手の良い外国為替証拠金取引サービスを顧客に提供することができる。
【図面の簡単な説明】
【００２２】
【図１】本発明に係る外為証拠金取引システムのブロック図である。
【図２】オプション取引管理サーバ、外銀サーバ、およびクライアント端末の構成を示すブロック図である。
【図３】クライアント端末における外為取引の注文要求の作成段階での入力画面を示す図である。
【図４】本発明のシステムの動作を示すフローチャートで、外為レートとプレミアムの蓄積処理を示すものである。
【図５】外為取引の新規注文時の動作を示すフローチャートである。
【図６】外為取引の決済注文時の動作を示すフローチャートである。
【図７】外為取引の新規注文にオプション取引の新規注文を含む場合の動作を示すフローチャートである。
【図８】オプション取引の期限管理に伴う動作を示すフローチャートである。
【発明を実施するための形態】
【００２３】
本発明に係る外国為替証拠金取引システムは、図１に示すように、外為証拠金取引（以下「ＦＸ取引」という）を仲介する仲介事業者が利用する外為取引仲介サーバ２ａ、およびオプション取引管理サーバ２ｂの２台のサーバにより構成される仲介業者サーバ２と、ＦＸ取引を行う投資家が利用する適数のクライアント端末１と、インターバンク取引を行う外国銀行が利用する適数の外銀サーバ３とをインターネット等の通信回線網２０を介して接続して構成される。上記仲介事業者は上記投資家から証拠金を預かり、この証拠金に応じた金額の預かりを投資家毎に取引口座として管理して金融取引に伴う損益に応じてその残高を調整する。なお、以下においては、発明の理解を容易にするために、スワップポイントや、許容スリップなどの原因となる外為レートの短時間での変動、ロスカット、外貨建てでのＦＸ取引などの説明を徒に複雑にしてしまうおそれのあるもの、およびこれに関連する事項を省略する。
【００２４】
上記外為取引仲介サーバ２ａは、図１に示すように、制御部２１にバスライン２２を介して接続される注文用データ提供手段１０と、外為注文データ生成手段４と、残高管理手段９と、外為レート取得手段２３と、オプション取引監督手段７と、顧客データ格納手段２４と、外為取引データ格納手段（第２のＯＰ取引データ格納手段８）と、外為レート格納手段２５と、通信部２６とを有する。
【００２５】
上記外為レート取得手段２３は、所定の時刻に、あるいは所定の時間間隔で起動されて外銀サーバ３にアクセスし、最新の外為レート情報を取得する。なお、外為レート取得手段２３による外為レート情報の取得源は、最新の外為レート情報を提供するものであれば、外銀サーバ３以外の適宜の情報提供サーバでも足りる。また、上記外為レート格納手段２５は、このようにして取得された外為レートデータを通貨毎に経時的に蓄積して格納する。
【００２６】
上記注文用データ提供手段１０は、クライアント端末１からＦＸ取引を希望するアクセスがあったときに、外為取引仲介サーバ２ａへのＦＸ取引の注文を容易にするためにクライアント端末１に送信する注文用データを提供するもので、新規注文の要求か決済注文の要求かに応じて上記外為レート格納手段２５内のデータ自体もしくはその差分データ、あるいは上記外為取引データ格納手段内のデータ等をクライアント端末１に送信する。クライアント端末１は、例えば外為取引仲介サーバ２ａへのアクセス時にＪＡＶＡ（登録商標）のアプレットをダウンロードすることにより、上述のように外為取引仲介サーバ２ａから送信されるデータを利用して注文票を生成することができるようにされる。したがって顧客は、例えば注文票の空欄を埋めるなどすることにより簡単に外為取引仲介サーバ２ａに対してＦＸ取引の注文要求をすることができる。
【００２７】
具体的には、図３に一部示されるように例えば新規注文の要求は、通貨ペア、取引数量、ポジションの売りまたは買いを指定してなされ、顧客は、クライアント端末１の表示部１２に表示された上述の注文票においてこれらをマウス操作により簡単に入力できるようにされる。また、注文票としてのウィンドウに直近の外為レートや、その変動がわかるチャートをも含むことにより、顧客には取引指示の際の判断材料も同時に与えられる。なお、注文用データ提供手段１０は、外銀からの外為レートを利用して固有のスプレッドを考慮した外為レートを算出し、これをクライアント端末１に送信することも可能である。一方、決済注文の要求は、未決済ポジションを決済注文の対象としてクライアント端末１において例えばマウスクリックで選択できるようにすれば足り、上述と同様にクライアント端末１の表示部１２おいて未決済ポジションを通貨ペア等とともに表示させてなされるが、上述同様に直近の外為レートのチャートをも合わせて表示させることが望ましい。
【００２８】
上記外為注文データ生成手段４は、外為取引仲介サーバ２ａがＳＴＰ（Ｓｔｒａｉｇｈｔ-Ｔｈｒｏｕｇｈ  Ｐｒｏｃｅｓｓｉｎｇ）方式をとるこの実施の形態において、クライアント端末１から取得したＦＸ取引の注文要求に基づいて、外銀サーバ３への新規ＦＸ取引の注文データを生成する。また、外為取引仲介サーバ２ａと外銀サーバ３とがＦＩＸ接続されるこの実施の形態において、外為注文データ生成手段４はＦＩＸプロトコルに従ってＦＸ取引の注文データを生成する。
【００２９】
上記残高管理手段９は、投資家の取引口座の残高に対して金融取引に応じた調整を行うもので、外銀サーバ３から受信するＦＸ取引の差損益金の入出金データに基づいて残高を加減処理する。また、後述するオプション取引の手数料に応じた残高の減少処理も行う。
【００３０】
上記外為取引データ格納手段８は、ＦＸ取引の内容を投資家毎に関連づけて蓄積してデータベース化したもので、取引内容として例えば上述したＦＸ取引の注文の要求にあるような通貨ペアや取引数量等、さらには取引時期がそれぞれ関連づけれられて格納される。また、ポジションが未決済であるか否かや、後述するオプション取引が付随するか否か、さらにはこのオプション取引の取引内容に関する情報をも含めて構成される。一方、上記顧客データ格納手段２４は、顧客である投資家の取引口座の残高情報や認証情報、連絡先情報などを投資家毎に格納する。
【００３１】
上記オプション取引監督手段７は、上述したオプション取引管理サーバ２ｂの動作の一部を制御するもので、後述するオプション取引を含むＦＸ取引の進捗状況に応じてオプション取引管理サーバ２ｂにオプション取引の注文用データの提供や、外銀サーバ３との交信命令、その後に続く一連の処理を求める。このオプション取引監督手段７はさらに、オプション取引の期限到来について、外為取引データ格納手段８内の格納データに基づいて図外のカレンダ機能を利用して判定する期限判定手段４１と、外為取引データ格納手段８および外為レート格納手段２５内のそれぞれの格納データに基づいてポジションの取得時の外為レートと直近の外為レートとを比較してポジションの損益を判定するポジション損益判定手段４２と、後述するように外銀サーバ３から同時期に受信する同一顧客の入出金データを相殺処理する相殺処理手段４３とを有する。なお、この実施の形態においてオプション取引の行使期限は、図３に示すように一週間と１ヶ月の２種類にされる。
【００３２】
上記通信部２６は、オプション管理サーバ、クライアント端末１、および外銀サーバ３との通信を行うもので、上述のように外銀サーバ３に対してはＦＩＸプロトコルに従って順次所定の交信を行う。
【００３３】
一方、上記クライアント端末１は、図２に示すようにマウスやキーボード等からなる入力部２７と、ディスプレイからなる表示部１２と、上述したアプレットにより構成される注文票生成手段２８と、通信部２９とを有し、通信部２９を介して外為取引仲介サーバ２ａおよびオプション管理サーバと通信を行う。
【００３４】
また、上記外銀サーバ３は、オプション取引のプレミアムデータを格納するプレミアム格納部３０と、外為レートを格納する外為レート格納部３１と、インターバンク市場においてオプション取引を遂行、管理するオプション取引管理部３２と、同じくインターバンク市場における外為取引を遂行、管理する外為取引管理部３３と、通信部３４とを有し、通信部３４を介して外為取引仲介サーバ２ａおよびオプション取引管理サーバ２ａ、さらには他の外銀サーバ３と通信を行う。
【００３５】
さらに、上記オプション取引管理サーバ２ｂは、制御部３５にバスライン３６を介して接続される注文用データ提供手段１０’と、ＯＰ注文データ生成手段５と、手数料算出手段１４と、プレミアム取得手段３８と、プレミアム格納手段１３と、通信部４０とを有する。
【００３６】
上記プレミアム取得手段３８は、上述した外為レート取得手段２３と同じように、所定の時刻に、あるいは所定の時間間隔で起動されて外銀サーバ３にアクセスし、オプション取引の最新のプレミアムを取得する。なお、外為レート取得手段２３によるプレミアムの取得源についても外為レートと同じように適宜の情報提供サーバでも足りる。また、上記プレミアム格納手段１３は、このようにして取得されたプレミアムデータを通貨ペア毎にオプション取引の行使期限、行使レート、取引数量を区分けして経時的に蓄積して格納する。
【００３７】
また、注文用データ提供手段１０’は、上述した外為取引仲介サーバ２ａにおけるものと同じように、クライアント端末１からオプション取引を希望するアクセスがあったときにオプション取引管理サーバ２ｂへのオプション取引の注文を容易にするためにクライアント端末１に送信する注文用データを提供するものである。具体的には、プレミアムデータ格納手段に格納される行使期限等に応じたプレミアムデータに基づいて、上記手数料算出手段１４により算出させた手数料を、差分データ等の適宜の形態でクライアント端末１に送信する。クライアント端末１においては、これらのデータを利用して上述したアプレットにより注文票が生成される。
【００３８】
具体的には、図３に一部示されるように例えば新規注文の要求の際には、売買毎のプレミアム、行使期限が表示される。また、プレミアムは、外為取引の取引数量に応じたものが表示される。クライアント端末１においては、例えばマウスクリックで行使期限の変更や、売買ポジションを選択することができる。なお、以上の注文用データは、外為取引管理サーバのオプション取引管理手段からのオプション取引管理サーバ２ｂへの命令により、該オプション取引管理サーバ２ｂの注文用データ提供手段１０から外為取引管理サーバに送信され、外為取引管理サーバを介してクライアント端末１に送信される。例えば、クライアント端末１において外為取引の注文票の作成段階で取引数量が変更された場合には、この変更を検知した外為取引仲介サーバ２ａを介してオプション取引管理サーバ２ｂの注文用データ提供手段１０に変更後の取引数量に応じたプレミアムデータの提示が要求され、このプレミアムデータが外為取引管理サーバを介してクライアント端末１に送信される。
【００３９】
上記ＯＰ注文データ生成手段５は、クライアント端末１からのオプション取引（第２のオプション取引）の新規注文要求に応じて、外銀サーバ３向けに、この新規注文要求と売買種別が反対で取引数量および将来期限が同一の新規オプション取引の注文データを生成する。オプション取引管理サーバ２ｂも上述した外為取引管理サーバと同様にＦＩＸ接続されるこの実施の形態において、ＯＰ新規注文データ生成手段はＦＩＸプロトコルに従ってＦＸ取引の注文データを生成する。また、ＯＰ注文データ生成手段５は、外為取引仲介サーバ２ａからの指示に応じてオプション取引の決済注文データを生成する。
【００４０】
上記手数料算出手段１４は、上述したように、プレミアムデータに基づいて手数料を算出するもので、例えばプレミアムデータに所定の係数を乗算して手数料を求める。
【００４１】
上記通信部４０は、上述した外為取引仲介サーバ２ａにおけるものと同様に、外為取引仲介サーバ２ａ、クライアント端末１、および外銀サーバ３との通信を行うもので、外銀サーバ３に対してはＦＩＸプロトコルに従って順次所定の交信を行う。
【００４２】
以上の外国為替証拠金取引システムにおける動作を以下に説明する。図４は仲介業者サーバ２を構成する外為取引仲介サーバ２ａおよびオプション取引管理サーバ２ｂによる外為レートやプレミアムの収集動作を示すものである。外為取引仲介サーバ２ａおよびオプション取引管理サーバ２ｂはそれぞれ、外為レート取得手段２３やプレミアム取得手段３８により通信部２６、４０を介して外銀サーバ３の外為レート格納部３１、プレミアム格納部３０にアクセスし（ステップＳ-１０、ステップＳ-２０）、最新の外為レート、プレミアムの情報を取得して（ステップＳ-１１、ステップＳ-２１）外為レート格納手段２５、プレミアム格納手段１３に格納させる（ステップＳ-１２、ステップＳ-２２）。上述の外銀サーバ３へのアクセスは、例えば適数分等の間隔で設定された所定の問い合わせ時刻になることを条件にして繰り返される（ステップＳ-１３、ステップＳ-２３）。
【００４３】
したがって外為取引仲介サーバ２ａ等は、直近の外為レート等を外為レート格納手段２５等に格納し、また、適数分等の間隔で経時的に蓄積する。
【００４４】
図５は、クライアント端末１の外為取引の新規注文時の動作を示すものである。この実施の形態においては、外為取引仲介サーバ２ａはｗｅｂサーバとしても機能しており、図１において図示省略のウェブページ運営部を通じて仲介事業者のホームページを運営する。クライアント端末１は、インターネットを通じて上記ホームページにアクセスし（ステップＳ-３１）、上記ウェブページ運営部によりなされる認証が成立すると（ステップＳ-３２）、アプレットをダウンロードしてこのアプレットにより表示部１２に取引種別の選択を求める表示をする。
【００４５】
次いで、クライアント端末１において入力部２７を用いて取引種別が選択されると（ステップＳ-３３）、その選択結果が外為取引仲介サーバ２ａに入力され、外為取引の新規注文であるか否かが判定された上（ステップＳ-３４）、新規注文である場合には、注文用データ提供部から注文用データがクライアント端末１に送信される（ステップＳ-３５）。これを受信したクライアント端末１は、上記アプレットにより注文票を生成する（ステップＳ-３６）。
【００４６】
生成された注文票はマウスクリックを利用して取引数量等の注文条件を入力可能に形成されており、クライアント端末１において入力部２７を操作して注文条件を決定することができる。また、注文票には、図３に一部示されるように、オプション取引を希望する場合にマウスクリックを求める指示部１１が設けられており、この指示部１１がマウスクリックされなければオプション取引をしないＦＸ取引のみの新規注文として扱われる（ステップＳ-３７）。以上の注文票は、マウスクリックにより注文処理の決定が入力されると、通信部２９を介して外為取引仲介サーバ２ａに送信される（ステップＳ-３８）。
【００４７】
これを通信部２６を介して受信した外為取引仲介サーバ２ａは、外為取引データ格納手段８に注文内容を格納するとともに（ステップＳ-３９）、外為注文データ生成手段４により注文票に基づいて外為新規注文データが生成されて外銀サーバ３に送信される（ステップＳ-４０）。これを受信した外銀サーバ３は、外為取引管理部３３により外為取引を遂行し、通信部３４を介してその外為取引の確定注文結果を外為取引仲介サーバ２ａに送信する（ステップＳ-４１）。
【００４８】
外為取引仲介サーバ２ａは、確定注文結果を受信すると、外為取引データ格納手段８に注文内容を更新格納するとともに（ステップＳ-４２）、確定注文結果をクライアント端末１に送信し（ステップＳ-４３）、この後、クライアント端末１においては表示部１２に確定注文結果を表示して内容を確認することができる（ステップＳ-４４）。
【００４９】
一方、外為取引仲介サーバ２ａにおける上述した取引種別の選択においてＦＸ取引の新規注文ではない、すなわち決済注文であると判断された場合には、図６に示すように、先ず、決済の候補、すなわち未決済のポジションが外為取引データ格納手段８内で検索され（ステップＳ-５１）、決済候補を特定するデータがクライアント端末１に送信される（ステップＳ-５２）。これを受信したクライアント端末１は、アプレットにより決済候補を含む注文票を生成し、この後、マウスクリック等で決済注文の対象を特定した上で注文票が外為取引仲介サーバ２ａに送信される（ステップＳ-５３）。
【００５０】
外為取引仲介サーバ２ａは注文票を受信すると、注文内容を外為取引データ格納手段８に格納するとともに（ステップＳ-５４）、外為取引データ格納手段８内を検索してオプション取引が付随しているか否かを判定する（ステップＳ-５５）。オプション取引が付随していなければ、外為注文データ生成手段４により注文票に基づいてＦＸ取引の決済注文が生成されて外銀サーバ３に送信される（ステップＳ-５６）。これに対し、オプション取引が付随していた場合には、ＦＸ取引の決済に伴って補償対象がなくなることから、仲介事業者との間で締結したオプション取引を失効処理する（ステップＳ-５７）。失効処理は、例えば外為取引データ格納手段８内に失効の記録をすることによりなされる。
【００５１】
また、上述の決済注文を受信した外銀サーバ３は、外為取引管理部３３により決済取引を遂行し、その外為取引の確定注文結果を外為取引仲介サーバ２ａに送信するとともに、差損益金を仲介事業者の取引口座から入出金する（ステップＳ-５８）。確定注文結果を受信した外為取引仲介サーバ２ａは、外為取引データ格納手段８に注文内容を更新格納するとともに（ステップＳ-５９）、上記差損益金に応じた金額を残高管理手段９により顧客の取引口座の残高に対して調整処理し、この口座残高の情報と、上記確定注文結果とを合わせてクライアント端末１に送信する（ステップＳ-６０）。この後、クライアント端末１においては表示部１２に確定注文結果を表示して内容を確認することができる（ステップＳ-６１）。
【００５２】
一方、上述した注文票の作成段階において、指示部１１がマウスクリックされてオプション取引が希望されると、図７に示すように、外為取引仲介サーバ２ａにその旨が通知され、外為取引仲介サーバ２ａはオプション取引管理サーバ２ｂにオプション取引の注文用データの送信を指示する（ステップＳ-７０）。後述の通知、および指示に際しては注文票の取引数量も同時に送受信される。この指示を受信したオプション取引管理サーバ２ｂは、上記取引数量に基づいて手数料算出手段１４により手数料を算出した上で、注文用データとして注文用データ提供手段１０により外為取引仲介サーバ２ａに送信する（ステップＳ-７１）。
【００５３】
これを受信した外為取引仲介サーバ２ａは、注文用データ提供手段１０により生成した注文用データに対し、オプション取引管理サーバ２ｂから受信した注文用データを統合し、クライアント端末１に送信する（ステップＳ-７２）。これを受信したクライアント端末１は、この注文用データを利用して注文票を生成し（ステップＳ-７３）、入力部２７を利用して注文条件を入力して注文票を作成して外為取引仲介サーバ２ａに送信する（ステップＳ-７４）。
【００５４】
外為取引仲介サーバ２ａは、注文票を受信すると、外為取引データ格納手段８に注文内容を格納するとともに（ステップＳ-７５）、注文内容に応じた処理を実行する（ステップＳ-７６）。すなわち、上述のように注文票には、ＦＸ取引とオプション取引の双方の注文が含まれるために、外為取引仲介サーバ２ａは注文票からＦＸ取引とオプション取引のそれぞれの注文条件を抽出した上で、ＦＸ取引の新規注文分については、外為注文データ生成手段４により外為新規注文データを生成して外銀サーバ３に送信させる（ステップＳ-７６ａ）。
【００５５】
これに対し、オプション取引の新規注文分については、オプション取引監督手段７によりオプション取引管理サーバ２ｂに対して注文指示を送信する（ステップＳ-７６ａ）。これを受信したオプション取引管理サーバ２ｂは、ＯＰ新規注文データ生成手段によりオプション取引の新規注文データを生成し、外銀サーバ３に送信する（ステップＳ-７７）。
【００５６】
以上のように外為新規注文データとオプション取引の新規注文データの送信を受ける外銀サーバ３は、外為取引およびオプション取引をそれぞれ遂行し、外為取引の確定注文結果を外為取引仲介サーバ２ａに送信し（ステップＳ-７８）、また、オプション取引の確定注文結果をオプション取引管理サーバ２ｂに送信するとともに、上記オプション取引の確定プレミアムを仲介事業者の取引口座から入出金する（ステップＳ-７９）。
【００５７】
この後、オプション取引管理サーバ２ｂは、外銀サーバ３からオプション取引の確定注文結果に基づき、手数料算出手段１４により確定した手数料を算出し、この手数料の情報とともに、オプション取引の確定注文結果を外為取引仲介サーバ２ａに送信する（ステップＳ-８０）。なお、この手数料は、外為取引データ格納手段８にオプション取引と関連づけられて格納される。
【００５８】
以上のように外為取引の確定注文結果とオプション取引の手数料および確定注文結果の送信を受ける外為取引仲介サーバ２ａは、それぞれの取引の確定注文結果を外為取引データ格納手段８に更新格納し（ステップＳ-８１、８２）、また、手数料に応じた金額を残高管理手段９により顧客の取引口座の残高に対して調整処理し、この口座残高の情報と、全ての確定注文結果とを合わせてクライアント端末１に送信する（ステップＳ-８３）。この後、クライアント端末１においては表示部１２に確定注文結果を表示して内容を確認することができる（ステップＳ-８４）。
【００５９】
また、以上のようにしてオプション取引を含むＦＸ取引の未決済ポジションが外為取引データ格納手段８に格納されると、オプション取引監督手段７は、期限判定手段４１により期限管理をする。期限管理は、図８に示すように、期限判定手段４１によりオプション取引の権利行使の期限であるか否かを監視することでなされる（ステップＳ-９０）。期限判定手段４１により期限が到来すると判定されると、オプション取引監督手段７は、次に、ポジション損益判定手段４２により当該オプション取引を付随するＦＸ取引がこの時点で損失状態にあるか否かを判定する（ステップＳ-９１）。ＦＸ取引がこの時点で利益状態であると判定されると、価値がないために権利行使することなく仲介事業者との間で締結したオプション取引の失効処理をする（ステップＳ-９２）。
【００６０】
一方、ＦＸ取引がこの時点で損失状態であると判定されると、外為取引仲介サーバ２ａは損失補償処理を実行する（ステップＳ-９３）。すなわち、外為取引仲介サーバ２ａは、外為注文データ生成手段４によりＦＸ取引の決済注文データを生成して外銀サーバ３に送信するとともに（ステップＳ-９３ａ）、オプション取引管理サーバ２ｂに当該オプション取引の権利行使の指示を送信する（ステップＳ-９３ｂ）。この指示を受信したオプション取引管理サーバ２ｂは、ＯＰ注文データ生成手段５により権利行使の注文データを生成して外銀サーバ３に送信する（ステップＳ-９４）
以上のようにＦＸ取引の決済注文データとオプション取引の権利行使注文データの送信を受ける外銀サーバ３は、外為取引のポジション決済およびオプション取引の権利行使をそれぞれ遂行し、外為取引の確定注文結果を外為取引仲介サーバ２ａに送信するとともに、これにより生じる差損益金を仲介事業者の取引口座から入出金し（ステップＳ-９５）、また、オプション取引の確定注文結果をオプション取引管理サーバ２ｂに送信する（ステップＳ-９６）。オプション取引の確定注文結果を受信したオプション取引管理サーバ２ｂは、この確定注文結果を外為取引仲介サーバ２ａに転送する（ステップＳ-９７）。
【００６１】
以上のように外為取引の確定注文結果およびとオプション取引の確定注文結果の送信を受ける外為取引仲介サーバ２ａは、それぞれの取引の確定注文結果を外為取引データ格納手段８に更新格納する（ステップＳ-９８、９９）。また、外為取引仲介サーバ２ａは、相殺処理手段４３により、上述した差損益金に応じた金額と、オプション取引の権利行使により得られる差益金とを相殺処理する（ステップＳ-１００）。次いで、外為取引仲介サーバ２ａは、相殺処理により差損益金を生じることのない外為取引の確定注文結果を取引の報告としてクライアント端末１に送信し（ステップＳ-１０１）、この後、クライアント端末１においては表示部１２に確定注文結果を表示して内容を確認することができる（ステップＳ-８４）。
【００６２】
なお、以上の実施の形態においては、仲介業者サーバ２を外為取引仲介サーバ２ａとオプション取引仲介サーバに分けて２台で構成する場合を示したが、１台に機能を集約させたり、３台以上に分散して構成することも可能である。
【符号の説明】
【００６３】
１    クライアント端末
２    仲介業者サーバ
３    外銀サーバ
４    外為注文データ生成手段
５    ＯＰ注文データ生成手段
６    権利行使注文データ生成手段
７    オプション取引監督手段
８    第２のＯＰ取引データ格納手段
９    残高管理手段
１０    注文用データ提供手段
１１    指示部
１２    表示部
１３    プレミアム格納手段
１４    手数料算出手段
【図１】
2014222389.tif 000003
【図２】
2014222389.tif 000004
【図３】
2014222389.tif 000005
【図４】
2014222389.tif 000006
【図５】
2014222389.tif 000007
【図６】
2014222389.tif 000008
【図７】
2014222389.tif 000009
【図８】
2014222389.tif 000010